(57)【要約】【課題】アーチワイヤの大きな曲がりの部分に対して１点接触状態で接することのない舌側矯正用ブラケットを提案すること。【解決手段】舌側矯正用ブラケット１では、そのスロット底面４ａを、スロット長さ方向の両側の端部１１、１２に対してその中央部２３が相対的に窪んだ形状にしてある。アーチワイヤＷの曲がり部分がスロット底面４ａの中央部２３に接触した１点接触を回避して、両側の端部１１、１２に接触した２点接触状態を形成できる。これにより、前歯のローテーションコントロールを確実かつ容易に行うことができ、アーチワイヤと舌側矯正用ブラケット１の間のフリクションが低減し、前歯の移動を早くすることもできる。【選択図】図１
2013252245.tif 000002
【特許請求の範囲】
【請求項１】
アーチワイヤを通すアーチワイヤスロットを備えた舌側矯正用ブラケットであって、
前記アーチワイヤスロットに通したアーチワイヤが前記スロット底面におけるスロット長さ方向の両側の端部の２点で接触するように、前記両側の端部に対して、スロット長さ方向の中央部分が相対的に窪んでいることを特徴とする舌側矯正用ブラケット。
【請求項２】
請求項１において、
前記スロット底面における前記両側の端部および前記中央部分は、前記スロット長さ方向に沿って見た場合に、平面あるいは曲面によって規定されていることを特徴とする舌側矯正用ブラケット。
【請求項３】
請求項２において、
前記アーチワイヤスロットのスロット長さ方向の両端には、それぞれ、スロット長さ方向に張り出している張出部が形成されており、
前記張出部のそれぞれは、前記スロット底面における前記両側の端部に連続している表面を備えていることを特徴とする舌側矯正用ブラケット。
【発明の詳細な説明】
【技術分野】
【０００１】
本発明は、歯科矯正治療、特に、舌側矯正治療においてアーチワイヤを架け渡すために矯正対象の歯に接着固定して用いる舌側矯正用ブラケットに関する。さらに詳しくは、舌側矯正治療においてアーチワイヤが大きく曲げられた状態で架け渡される前歯に用いるのに適した舌側矯正用ブラケットに関する。
【背景技術】
【０００２】
歯科矯正治療に用いる歯科矯正装置としては、矯正対象の歯のそれぞれにおける唇側表面あるいは舌側表面に接着固定するブラケットと、これらのブラケットに架け渡すアーチワイヤとを備えたものが知られている。この歯科矯正装置を用いた矯正治療においては、治療の初期においては比較的細い（薄い）柔軟なアーチワイヤが使用され、小さな矯正力を各歯に加えるようにしている。そして、徐々に厚い（太い）アーチワイヤに交換して、より大きな矯正力を各歯に加えて各歯を目標位置あるいは姿勢となるように矯正している。
【０００３】
特許文献１には、舌側矯正治療に用いるのに適した歯科矯正用ブラケットが提案されている。当該特許文献１にも記載されているように、従来における歯科矯正用ブラケットには、使用状態において歯列弓の遠心近心方向に直線状に延びるアーチワイヤスロットが形成されている。
【先行技術文献】
【特許文献】
【０００４】
【特許文献１】特開平１１−２２６０３３号公報
【発明の概要】
【発明が解決しようとする課題】
【０００５】
舌側矯正治療において、歯列弓に沿った形状となるように湾曲した状態で各歯のブラケットに架け渡されるアーチワイヤでは、その前歯部における曲がりが他の部分に比べて大きい。従来においては、各位置にある歯に対応した形状の歯科矯正用ブラケットが使用されているが、それらに形成されているアーチワイヤスロットはスロット底面が直線状に延びている平面によって規定されている直線状スロットである。このため、大きく曲げられるアーチワイヤの部分が通される前歯部の舌側矯正用ブラケットにおいては、スロット底面に対して、アーチワイヤの曲がり部分の外側が１点で接した１点接触状態となってしまう。
【０００６】
このことは、治療初期の段階における柔らかいアーチワイヤにおいては、結紮をしっかりと行うことでアーチワイヤが撓んで直線状に延びるスロット底面に対して面接触となるので、問題とならない。しかし、治療が進むにつれてアーチワイヤの硬さが増すと、しっかりと結紮してもアーチワイヤが曲がり難くなり、直線状のスロット底面に対して面接触できず、曲がり部分の外側の１点で点接触する傾向が現れる。１点接触状態でアーチワイヤを舌側矯正用ブラケットに結紮すると、接触点を中心として前歯が右あるいは左に捻転してしまい、ローテーションコントロールが困難となることが多い。
【０００７】
本発明の課題は、この点に鑑みて、アーチワイヤの大きな曲がり部分に対して１点接触状態に陥ることを回避可能なアーチワイヤスロットを備えた舌側矯正用ブラケットを提案することにある。
【課題を解決するための手段】
【０００８】
本発明の舌側矯正用ブラケットでは、そのスロット底面を、そのスロット長さ方向の両端部分に対して中央部分を相対的に窪ませた形状としてある。
【発明の効果】
【０００９】
このようにすることで、アーチワイヤの曲がり部分を、アーチワイヤスロットにおけるスロット長さ方向の中央部に接触させずに、両側の端部に接触した２点接触状態にすることができる。これにより、前歯のローテーションコントロールを確実かつ容易に行うことができる。また、スロット底面の中央部分が窪んでいるので、アーチワイヤとスロット底面との間の接触面積を少なくでき、これによって、アーチワイヤと舌側矯正用ブラケットの間のフリクションを減らすことができ、前歯の移動を早くすることができるという効果も得られる。
【図面の簡単な説明】
【００１０】
【図１】本発明を適用した前歯用の舌側矯正用ブラケットの斜視図である。
【図２】舌側矯正用ブラケットの平面図および側面図である。
【図３】舌側矯正用ブラケットの矢視図およびスロット底面形状を示す部分断面図である。
【図４】舌側矯正用ブラケットの別の例を示す斜視図およびスロット底面形状を示す部分断面図である。
【発明を実施するための形態】
【００１１】
以下に、図面を参照して本発明を適用した舌側矯正用ブラケットの実施の形態を説明する。
【００１２】
図１は本実施の形態に係る舌側矯正用ブラケットを示す斜視図であり、図２（ａ）および（ｂ）はその平面図および側面図である。舌側矯正用ブラケット１（以下、単に「ブラケット１」と呼ぶ場合もある。）は前歯に用いるのに適したものであり、前歯の舌側表面に接着固定されるブラケットベース２と、このブラケットベース２の表面２ａから突出しているブラケット本体部３と、ブラケット本体部３に形成したアーチワイヤスロット４（以下、単に「スロット４」と呼ぶ場合もある。）を備えている。ブラケット１は金属素材、プラスチック素材等の素材から形成される。
【００１３】
ブラケットベース２は一定厚さの板状のものであり、四隅にＲの付いた縦長の略台形状の輪郭をしている。ブラケット本体部３は、ブラケットベース２に繋がっている略矩形断面のネック部分５を備えている。ブラケットベース２の狭い幅の側をブラケット前側とすると、ネック部分５のブラケット前側の部分は、ブラケット前側に向けて突出してフック６を形成している。フック６の先端部分には円柱状の首部分６ａと、これよりも大径の球状頭部６ｂが形成されている。ネック部分５のブラケット後側の部分には、その先端側がブラケット前後に広がった形状のウイング７が形成されている。これらフック６およびウイング７の部位を利用して結紮用のリング等が取り付けられる。
【００１４】
スロット４は、ブラケット本体部３におけるフック６とウイング７の間に形成されている。スロット４は、ブラケット幅方向Ｘ（前歯に取り付けた状態において歯列弓の遠心近心方向）に延びるスロット底面４ａおよび両側の内側側面４ｂ、４ｃによって規定されている。図２（ｂ）から分かるように、内側側面４ｂ、４ｃは一定の間隔でブラケットベース２に対して例えば４０度程度傾斜した方向に延びる傾斜面であり、底面４ａに対して直交方向に延びている。スロット４の長さ方向の両側の端は、ブラケット本体部３における両側の端面３ａ、３ｂから横方に開口している開口端となっている。
【００１５】
図３（ａ）は、舌側矯正用ブラケット１を図２（ｂ）に示す矢印Ａの方向から見た場合の矢視図であり、図３（ｂ）は図２（ｂ）に示すＢ−Ｂ線で切断した場合の部分断面図である。これらの図から分かるように、スロット４のスロット底面４ａは、その長さ方向に沿って見た場合に、その両側の部位に対して中央の部位が窪んだ形状となっている。すなわち、スロット底面４ａの長さ方向における両側の端部１１、１２に対して、スロット長さ方向の中央部１３が一段窪んでいる。本例では、端部１１、１２および中央部１３の表面が共に平面によって規定されており、これらの間の段差部分１４、１５が傾斜面によって繋がっている。
【００１６】
ここで、スロット４のスロット長さ方向の両端には、ブラケット本体部３の両側の端面３ａ、３ｂから直交する方向、すなわち、スロット長さ方向に張り出している張出片１６、１７が形成されている。張出片１６、１７は長方形断面のものであり、それらの表面１６ａ、１７ａは、スロット４の両側の端部１１、１２に連続して延びている平面によって規定されている。
【００１７】
図１および図３（ｂ）に想像線で示すように、前歯の舌側表面に接着固定したブラケット１のスロット４にはアーチワイヤＷの曲がり部分が通された状態になる。スロット底面４ａにおいては、スロット長さ方向の両側の端部１１、１２に比べて、その中央部１３が一段窪んでいる。したがって、アーチワイヤＷの曲がり部分の外側は、中央部１３に接触せずに、両側の端部１１、１２に接触して、２点接触の状態が形成される。アーチワイヤＷの曲がり状態を考慮して、中央部１３の窪み量を適切に設定しておくことで、スロット底面４ａの両側の端部１１、１２がアーチワイヤＷに接した２点接触状態を確実に形成できる。
【００１８】
したがって、アーチワイヤＷがブラケット１に１点接触した状態に陥り、結紮の際に、接触点を中心として前歯が右あるいは左に捻転し、前歯のローテーションコントロールが困難になるという弊害を回避できる。また、アーチワイヤＷとブラケット１の間、すなわち、アーチワイヤＷとスロット底面４ａは窪んでいる中央部１３では接触しないので、これらの間のフリクションを低減でき、前歯の移動を早くすることができるという利点もある。
【００１９】
なお、本例では、スロット４の両側に張出片１６、１７を形成して、ローテーションコントロールを容易に行うことができるようにしているが、これらの張出片１６、１７を省略することも可能である。
【００２０】
図４（ａ）は舌側矯正用ブラケットの別の例を示す斜視図であり、図４（ｂ）はそのスロット底面の形状を示す説明図である。これらの図に示す舌側矯正用ブラケット２１の基本構成は図１〜図３に示す舌側矯正用ブラケット１と同様であり、前歯の舌側表面に接着固定されるブラケットベース２２と、このブラケットベース２２の表面２２ａから突出しているブラケット本体部２３と、ブラケット本体部２３に形成したアーチワイヤスロット２４（以下、単に「スロット２４」と呼ぶ場合もある。）を備えている。ブラケット本体部２３にはフック２６およびウイング２７が形成されており、これらの間に、ブラケット幅方向Ｘに延びるスロット２４が形成されている。
【００２１】
本例のスロット２４はブラケット幅方向Ｘに円弧状に延びる湾曲スロットである。すなわち、スロット２４のスロット底面２４ａはスロット長さ方向（ブラケット幅方向Ｘ）に沿って見た場合に凹円弧面によって規定されており、スロット長さ方向の両側の端部３１、３２に比べて、スロット長さ方向の中央部３３が相対的に窪んでいる。
【００２２】
また、スロット２４のスロット長さ方向の両端には、ブラケット本体部２３の両側の端面２３ａ、２３ｂから直交する方向、すなわち、スロット長さ方向に張り出している張出片３６、３７が形成されている。張出片３６、３７の表面３６ａ、３７ａは、スロット２４の両側の端部３１、３２の表面に連続して延びている凹円弧面によって規定されている。
【００２３】
図４（ｂ）に想像線で示すように、前歯の舌側表面に接着固定したブラケット２１のスロット２４にアーチワイヤＷを架け渡すと、アーチワイヤＷの曲がり部分がスロット２４に通された状態になる。スロット底面２４ａのスロット長さ方向の中央部３３は両側の部分よりも後退している。したがって、アーチワイヤＷの曲がり部分の外側がスロット底面２４ａの中央部３３に接触することなく、両側の張出片３６、３７の表面３６ａ、３７ａに接触した２点接触の状態が形成される。アーチワイヤＷの曲がり状態に応じて、中央部３３の後退量（窪み量）を適切に設定しておくことにより、２点接触状態を確実に形成できる。
【００２４】
したがって、図１〜図３に示すブラケット１の場合と同様に、アーチワイヤＷがブラケット１に１点接触した状態に陥り、結紮の際に、接触点を中心として前歯が右あるいは左に捻転し、前歯のローテーションコントロールが困難になるという弊害を回避できる。また、アーチワイヤＷとブラケット２１の間のフリクションを低減でき、前歯の移動を早くすることができるという利点もある。なお、本例においても、スロット両側の張出片３６、３７を省略してもよいことは勿論である。
【符号の説明】
【００２５】
１、２１  舌側矯正用ブラケット
２、２２  ブラケットベース
２ａ、２２ａ  表面
３、２３  ブラケット本体部
３ａ、３ｂ、２３ａ、２３ｂ  側面
４、２４  アーチワイヤスロット
４ａ、２４ａ  スロット底面
４ｂ、４ｃ  内側側面
５    ネック部分
６、２６    フック
６ａ  首部分
６ｂ  球状頭部
７、２７    ウイング
１１、１２、３１、３２  端部
１３、３３  中央部
１４、１５  段差部分
１６、１７、３６、３７  張出片
１６ａ、１７ａ、３６ａ、３７ａ  表面
Ｘ    ブラケット幅方向（スロット長さ方向）
【図１】
2013252245.tif 000003
【図２】
2013252245.tif 000004
【図３】
2013252245.tif 000005
【図４】
2013252245.tif 000006
【手続補正書】
【提出日】平成25年4月5日(2013.4.5)
【手続補正１】
【補正対象書類名】特許請求の範囲
【補正対象項目名】請求項１
【補正方法】変更
【補正の内容】
【請求項１】
アーチワイヤを通すアーチワイヤスロットを備えた舌側矯正用ブラケットであって、
前記アーチワイヤスロットに通したアーチワイヤがスロット底面におけるスロット長さ方向の両側の端部の２点で接触するように、前記両側の端部に対して、スロット長さ方向の中央部分が相対的に窪んでいることを特徴とする舌側矯正用ブラケット。